(57)【要約】【課題】エレベータ乗場の利用客は、当該乗場に案内されていないエレベータの通過に対して不快感を覚えるものであるが、その対策として従来は、当該乗場におけるエレベータの通過を抑制する運行制御であるので、利用客のエレベータ待ち時間が長くなる問題が生じていた。【解決手段】エレベータ乗場における利用客の発生を検出し、案内するエレベータを決定したときは、利用客の発生した階床に当該案内される案内エレベータが到着するまでは、案内されていないエレベータについて当該階床の通過等の挙動が前記利用客から見えないように不可視状態にする。【選択図】図１
2009280323.tif 000002
【特許請求の範囲】
【請求項１】
乗場呼びに応じて複数のエレベータの内から案内エレベータを決定するエレベータ管理制御手段と、エレベータ制御手段を備えたエレベータかごと、乗場側と乗場扉を含むエレベータ側との間に配設されたシースルー隔壁と、当該シ−スルー隔壁に配設されて外部が展望可能な外部可視化状態と外部が展望できない外部不可視化状態に切り替え可能なパネルと、当該パネルを制御するパネル表示制御手段とを設け、
前記パネル表示制御手段は、前記エレベータ管理制御手段が決定した案内エレベータ情報と乗場呼びが発生した階床情報に基づいて、前記案内エレベータ以外の他のエレベータの挙動が利用者から目視できる範囲の前記パネルを、案内エレベータが到着するまで外部不可視化状態に切り替え制御する、エレベータ乗場不可視化制御システム
【請求項２】
前記パネルが透明ＥＬパネルである請求項１のエレベータ乗場不可視化制御システム
【請求項３】
前記不可視化状態が、映像である、請求項１又は２のエレベータ乗場不可視化制御システム
【発明の詳細な説明】
【技術分野】
【０００１】
本発明は、エレベータ乗場において、利用客に案内されていないエレベータの通過を認識し難くするシステムに関する。
【背景技術】
【０００２】
展望用エレベータにおいては、エレベータ利用客が昇降路の壁や梁等の見栄えの良くない部分を不可視化して視覚による不快感を生じさせないようにすることが従来行われている。
例えば、展望用エレベータかごのガラス窓の一面以上のガラス窓に調光ガラスを配設し、エレベータかごの昇降路内の所定区間に同調させて当該ガラス窓から外部が展望できる外部可視化、外部が展望できない外部不可視化をコントロールしたり（特許文献１参照）、展望窓を調光ガラスで形成し、調光制御装置にて見栄えの良くない部分を外部不可視化したり（特許文献２参照）、展望用エレベータの昇降路外壁の各階ガラス部を、電圧の印加、開放により、ガラス部を透明、不透明に切替える分散型液晶ガラス装置により見栄えの良くない部分を不可視化したり（特許文献３）、さらには、前記展望用エレベータにおいて、乗場扉をもシースルーにした展望用エレベータ（特許文献４）も知られていた。
【特許文献１】特開平４−３３３４８５号公報
【特許文献２】特開平４−９４３９１号公報
【特許文献３】特開平２−６６０９０号公報
【特許文献４】特開昭５９−９２８８５号公報
【発明の開示】
【発明が解決しようとする課題】
【０００３】
前記のように展望用エレベータにおいては、エレベータ内の利用客に対しては不快感を生じさせる外部の光景が見えないように外部不可視化をおこなって利用客への配慮を行っている。
一方、エレベータ乗場においてエレベータの到着を待っている利用客は、当該乗場に案内されていないエレベータの通過に対しては不快感を覚え、特に特許文献５に示されるような、エレベータ乗場からエレベータの通過が目視できる建物においては前記不快感が増大するものであるが、その対策として用いられている手段は、当該乗場におけるエレベータの通過を抑制する運行制御であるので、エレベータ利用客がエレベータ乗場で待つ待ち時間が長くなる問題が生じていた。
【０００４】
本発明は、前記課題を解決するためになされたもので、エレベータ乗場からエレベータの通過が目視できる建物において、当該乗場の利用客に案内されていないエレベータの通過を認識し難くするエレベータの乗場不可視化制御システムを提供する。
【課題を解決するための手段】
【０００５】
乗場からエレベータの通過が目視できる建物内で稼働する複数台のエレベータにおいて、外部が展望可能な外部可視階床における利用客の発生を検出し、当該階床に案内するエレベータを決定したときは、当該決定された案内エレベータが利用客の発生した階床に到着するまで、案内されていないエレベータについては、当該階床を通過する等のエレベータの挙動が当該乗場の利用客から見えないように不可視化状態に切り替える。
【発明の効果】
【０００６】
エレベータ乗場からエレベータの通過が目視できる建物において、利用客のエレベータ待ち時間を長くすることなく、利用客にエレベータの通過による不快感を生じさせない効果を奏する。
さらに、案内されていないエレベータについては、その挙動が利用客から目視できないように外部不可視化状態とされているので、外部が展望できるエレベータの乗場が、案内エレベータであると一目で認識でき、利用客は案内エレベータを間違える虞がなくなる効果を奏する。
【発明を実施するための最良の形態】
【０００７】
以下、図面を参照して、本発明の実施例について詳細に説明する。
図１はエレベータ乗場不可視化制御システムを単純化したイメージ図、図２はエレベータ乗場不可視化制御システムのブロック構成図の一例、図３はエレベータ乗場不可視化制御システムの動作を示すフローチャートである。
まず、図１の単純化した具体例を用いて本発明の制御システムの概要について説明する。
地下１階から７階（Ｂ１Ｆ〜７Ｆ）までのフロアを有するビルにおいて、１〜３号機のエレベータが設置されており、乗場と乗場扉を含むエレベータ側とを仕切る隔壁が全階床においてシースルー隔壁として構成され、かつ当該シースルー隔壁には透明ＥＬパネルシートが貼付されて、通常は外部が展望できる外部可視化状態となっている。
ここで、３Ｆにおいて利用客が下方向乗場釦▼を押圧すると、当該押圧に対応して案内される案内エレベータとしてエレベータ２号機が決定される。
すると、１Ｆに停止することが既に登録されているエレベータ３号機は３Ｆを通過することとなるので、エレベータ乗場から３号機の通過等の挙動が３Ｆの利用客から目視できる範囲の透明ＥＬパネルシートを、外部が展望できない外部不可視化状態にすると共に、案内されていないエレベータ１号機もその挙動が目視できる範囲の透明ＥＬパネルシートを外部不可視化状態にする。
次いで、案内されたエレベータ２号機が、３Ｆに到着すると、エレベータ１号機、エレベータ３号機の挙動に係わる３Ｆの透明ＥＬパネルシートの範囲を外部が展望可能な外部可視化状態に切り替える。
ここで言う、「挙動が目視できる範囲」とは、エレベータ乗場と乗場扉を含むエレベータ側とを仕切るシースルー隔壁において、案内されていないエレベータの挙動が利用客から見える範囲のシースルー隔壁の全てを意味する。
【０００８】
前記エレベータの制御について図２、図３を用いて説明する。
エレベータ管理制御手段１０は、１号〜Ｎ号エレベータ２０〜２Ｎのエレベータを総括的に制御するもので、前記エレベータ１号〜Ｎ号２０〜２Ｎには、かご２０−２〜２Ｎ−２毎にエレベータを制御するエレベータ制御部２０−１〜２Ｎ−１が設けられている。
また、Ｂ１階ホール〜Ｍ階ホール３０〜３Ｍには、ホール呼び釦３０−１〜３Ｍ−１の入出力の制御を行うホール呼び制御手段３０〜３Ｍと、透明ＥＬパネルシート４１を制御する透明ＥＬパネル表示制御手段４０が配設されている。
【０００９】
前記エレベータ管理制御手段１０は、エレベータ制御部２０−１〜２Ｎ−１から、送信されて来る、かご２０−２〜２Ｎ−２内の乗場釦登録情報、出発・到着情報、ドアの状態情報、かご位置情報等のエレベータ状態情報と、ホール呼び制御部３０〜３Ｍを介して送信されてくるホール呼び釦３０−１〜３Ｍ−１情報等のホール情報とに基づいて、発生したホール呼びに対応する案内エレベータ２０〜２Ｎを決定し、当該決定した案内エレベータ情報を、ホール呼びが発生した階床のホール呼び制御手段３０〜３Ｍに出力すると共に、当該決定された案内エレベータのエレベータ制御手段２０−１〜２Ｎ−１に出力して、エレベータの運行を制御する。
さらに、エレベータ管理制御手段１０は、前記エレベータ状態情報、ホール情報、ホール呼びに応じて決定した案内エレベータ情報等のエレベータ管理情報を透明ＥＬパネル表示制御手段４０に送信する。
【００１０】
当該透明ＥＬパネル表示制御手段４０は、前記送信されたエレベータ管理情報に基づいて、ホール呼びが発生した階床、決定された案内エレベータのＩＤ番号、可視化フラグを立て、これらを一連の表示制御データとして記憶手段に記憶すると共に、新たにホール呼びが発生してエレベータ管理制御手段１０から新たなエレベータ管理情報を受信すると、当該エレベータ管理情報に基づいて新たな一連の表示制御データとして記憶手段に記憶する。
次いで、当該新たな一連の表示制御データにおける階床情報について、記憶手段には当該階床に関する一連の表示制御データが既に存在するか否かチックし、当該一連の表示制御データが存在しない場合は、前記可視化フラグが立っている案内エレベータＩＤ番号以外の他のエレベータに関してその挙動が当該階床の利用客から目視できる範囲の透明ＥＬパネルシート４１を外部不可視化状態にする。
【００１１】
一方、前記チェック結果が既に記憶手段に存在する場合は、決定された案内エレベータＩＤ番号が、既に記憶されているエレベータＩＤ番号と同一か否かチェックし、同一の場合は、利用客が発生した階床に案内されるエレベータが到着する度に、前記一連の表示制御データを１ずつ消去し、他に当該階床に関する一連の表示制御データの記憶がなくなれば、当該階床において外部不可視化状態にされている透明ＥＬパネルシート４１を全て外部可視化状態に切り替える。
また、前記新たに決定された案内エレベータＩＤ番号が、既に記憶されているエレベータＩＤ番号と異なる場合は、当該新たに決定された案内エレベータについては外部不可視化状態にされているので、当該エレベータの挙動が目視できる範囲の透明ＥＬパネルシート４１を外部可視化状態にし、案内エレベータが到着する都度、当該案内エレベータに係わる一連の表示制御データ、すなわち、利用客が発生した階床、決定された案内エレベータのＩＤ番号、可視化フラグ等の一連の表示制御データを消去し、他に当該階床に関する一連の表示制御データの記憶がなくなれば、当該階床で不可視化状態にされている透明ＥＬパネルシート４１を全て外部可視化状態に切り替える。
【００１２】
次にフローチャートに基づいて本発明のシステムの動作を説明する。
利用客が乗場呼び釦３０−１〜３Ｎ−１の押圧を検知する（ステップＳ１）と、乗場呼び釦３０−１〜３０Ｎ−１が押圧された利用客発生階床へ案内する案内エレベータを決定し（ステップ２）、当該利用客発生階床において外部不可視化状態が存するか否か判定し（ステップＳ３）、当該判定が外部不可視化状態が存しないとの判定のときはステップＳ４に進み、不可視化状態が存する判定であるときはステップＳ５に進む。
ステップＳ４では、他に案内されるエレベータが存在しないので、前記ステップＳ２で決定された案内エレベータ以外のエレベータについては、その挙動が利用客発生階床の利用客から目視できる範囲の透明ＥＬパネルシート４１を不可視化状態にして、前記ステップＳ２で決定されたエレベータの到着を待ち、当該エレベータが到着したら（ステップＳ４−１）、他に案内されているエレベータの有無を判定（ステップＳ４−２）し、他に案内されているエレベータがない場合は、利用客発生階床の透明ＥＬパネルシート４１による外部不可視化状態を解除し、外部が展望可能な外部可視化状態（ステップＳ４−３）にしてスタートに戻る。
一方、ステップＳ４−２で他に案内される案内エレベータがある場合はステップＳ５に進む。
ステップＳ５では、ステップＳ２で先に決定された案内エレベータが利用客発生階床に到着する（ステップＳ４−２）前に、例えば、当該階床にて新たに逆方向の乗場呼び釦が押圧され、当該押圧に応じて決定された案内エレベータ（ステップＳ２）が、当該新たな利用客が発生した前記階床に案内することが先に決定されている先の案内エレベータと同一であるか否か判定（ステップＳ５）し、同一であれば透明ＥＬパネルシート４１の制御を行うことなく、案内エレベータの到着を待つ（ステップＳ７）。
当該ステップＳ７で案内エレベータが到着すると、他に案内される案内エレベータの有無を判定（ステップＳ７−１）し、他に案内される案内エレベータがないときは、利用客発生階床の透明ＥＬパネルシート４１による外部不可視化状態を解除して外部の展望が可能な外部可視化状態（ステップＳ８）に切り替えてスタートに戻る。
ステップＳ７−１で他に案内されるエレベータがあるときは、次に当該階床に案内される案内エレベータの移動中に上記のような当該階床の乗場呼び釦の押圧を再度検出する場合が生じるので、ステップＳ５に進む。
ステップＳ５の判定において、同一エレベータが案内されていないときは、案内される案内エレベータの挙動が目視できる範囲の前記透明ＥＬパネルシート４１を外部可視化状態（ステップＳ６）に切り替えて案内されている案内エレベータの到着を待つ（ステップＳ６−１）。
ステップＳ６−１において案内エレベータが到着すると、当該到着した案内エレベータの挙動が目視できる範囲の前記透明ＥＬパネルシート４１を外部不可視化状態（ステップＳ６−２）にし、他に案内されたエレベータの有無を判定（ステップＳ６−３）し、他に案内される案内エレベータがないときは、利用客発生階床の透明ＥＬパネルシート４１による外部不可視化状態を全て解除し、外部が展望できる外部可視化状態（ステップＳ８）にしてスタートに戻る。
一方、ステップＳ６−３で他に案内される案内エレベータがあるときは、次に当該階床に案内される案内エレベータの移動中に上記のような当該階床の乗場呼び釦の押圧を再度検出する場合が生じるので、ステップＳ５に進む。
【００１３】
上記実施例によれば、ホール呼び釦が押圧された時点で案内エレベータを決定し、当該案内エレベータ以外のエレベータの挙動は、ホール呼び釦が押圧された階床の利用客からは見えない状態となるので、利用客は案内されないエレベータの通過を認識しづらくなり、不快感を招来することがなくなる。
さらに、案内される案内エレベータ以外は案内エレベータが到着するまで、利用客から外部が展望できない外部不可視状態となっているので、一目で案内エレベータを認識できて、案内エレベータを迷うことがない効果を奏する。
【００１４】
前記実施例では、外部可視化状態と外部不可視化状態に変化させる手段として、透明ＥＬパネルシートとしたが、透明有機ＥＬ、調光ガラス、液晶など、外部可視化状態と外部不可視状態に切り替え可能な手段ならどのようなものでも良い。
また、外部不可視化手段として、アニメーション、コマーシャルなどの映像表示による外部不可視化状態としても良い。
すると、案内エレベータが到着するまでの待ち時間を退屈させない効果を有する。
【図面の簡単な説明】
【００１５】
【図１】本発明のエレベータ乗場不可視化制御システムを単純化したイメージ図。
【図２】エレベータ乗場不可視化制御システムのブロック構成の一例を示す図。
【図３】エレベータ乗場不可視化制御システムの動作を示すフローチャート。
【符号の説明】
【００１６】
１０  エレベータ管理手段
２０〜２Ｎ  エレベータ
２０−１〜２Ｎ−１  エレベータ制御手段
２０−２〜２Ｎ−２  かご
３０〜３Ｍ  ホール呼び制御手段
３０−１〜３Ｍ−１  ホール呼び釦
４０  透明ＥＬパネル表示制御手段
４１  透明ＥＬパネルシート
【図１】
2009280323.tif 000003
【図２】
2009280323.tif 000004
【図３】
2009280323.tif 000005